(57)【特許請求の範囲】
【請求項１】
塗料を収容した容器本体の上部開口にキャップを被着した塗料カートリッジと、該塗料カートリッジを下部に吊持した流体スプレーとを備え、該流体スプレー内部の流体通路と、この流体スプレーの前部に連続する流体噴き出しノズル内部の流体噴出孔とを同一軸線上に配設し、前記流体通路の中心軸上にニードルを移動可能に配設し、該ニードルの先端と前記流体噴出孔の後端との間隙を変更することにより、前記流体噴き出しノズルから吹き出す流体の流量を調整可能となすとともに、前記流体噴出孔の後端内周と前記ニードルの先端外周とにそれぞれテーパ面を設け、前記流体噴き出しノズル先端と、前記キャップの上面に突出する吸い上げノズルの先端とを交差方向に近接して設け、該流体噴き出しノズルの先端から吹き出す流体の吸引作用によって、前記吸い上げノズルを通して吸い上げた塗料を噴射する塗装スプレー装置において、前記キャップの上面には、前記流体スプレーの前部下側に垂設したブラケットがスライド可能に装着されるスプレー取り付けガイドが設けられ、その一側部には吸い上げノズルとノズル高さ調整具とが上下同軸上に突設され、該ノズル高さ調整具は、連結ノズルの中間部上下に操作ダイヤルとおねじとが連設され、該おねじをキャップの上下へ貫通して設けられた挿通孔の開口に螺着するとともに、該挿通孔からキャップの内側に突出する連結ノズルの下端に吸い上げパイプを接続し、前記吸い上げノズルは、中間部よりもやや下側に設けたつまみ用のダイヤルから上側を、前記連結ノズルよりも小径に、ダイヤルから下側部分を大径部となして、この大径部を前記連結ノズルの上部に外挿したことを特徴とする塗装スプレー装置。
【発明の詳細な説明】
【０００１】
【発明の属する技術分野】
本発明は、塗料カートリッジ内に収容される塗料を流体スプレーから噴出するエアやガス等の流体を用いて噴射する塗装スプレー装置に関する。
【０００２】
【従来の技術】
ホビー等の塗装や簡単なエアブラシ等に用いる塗装スプレー装置として、市販の塗料入り容器を塗料カートリッジとして流用するものが知られている。
【０００３】
この塗装スプレー装置は、１０〜２０ＭＬ程度の塗料を収容した容器本体の上部開口にキャップを被着した市販の容器入り塗料を塗料カートリッジとし、一方流体スプレーをペンシル型に形成して、その下部に塗料カートリッジと同一形状の交換キャップを一体形成しており、塗装スプレー装置として使用する際には、流体スプレーの交換キャップに塗料カートリッジの容器本体を取り付け、さらに、流体スプレーにエアコンプレッサやガスボンベ等の流体供給源を接続する。
【０００４】
流体スプレーの先端側には流体噴き出しノズルが、また交換キャップの上面には吸い上げノズルがそれぞれ設けてあり、これら流体噴き出しノズルと吸い上げノズルの先端同士を交差方向に近接配置して、容器本体内の塗料を流体噴き出しノズルから吹き出す流体の吸引作用で吸い上げノズルの先端に吸い上げて噴射するようにしている。
【０００５】
【発明が解決しようとする課題】
このような構成にあっては、塗装パターンを変更する場合に、流体スプレーから吹き出す流体の流量を調整する必要があるが、従来の流量調整は、流体スプレーの内部に複雑な構造を持たせているため、製作工数や部品点数が増大し、高コスト化を招くものであった。
【０００６】
また、塗料色を変えて塗装作業を継続する場合には、交換キャップの内側を洗浄する必要があるが、この交換キャップは前述の通り流体スプレーと一体となっているため、交換キャップ内側の洗浄を困難なものにしており、しかも交換キャップの洗浄中に塗料が流体スプレーへ流れるため、流体スプレーの洗浄をも必要としていた。
【０００７】
さらに、交換キャップに付設される吸い上げノズルは、流体の吸引作用で塗料が瞬時に通過するために、単品では本来洗浄を殆ど要しないものであるが、吸い上げノズルの下側に、ノズル高さ調整具と、容器本体の底部に至る吸い上げパイプとが連続するユニットとなっているため、塗料色を変えて塗装作業を継続する場合には、ユニット全体を洗浄しなければならなかった。
【０００８】
本発明は、このような実情を背景にしてなされたもので、その目的とするところは、流体スプレーから吹き出す流体の流量を極めて簡単な構造で調整できるようにし、さらに塗料色を代えて使用する場合にも、キャップや吸い上げノズルの洗浄回数を減らしたり省略することのできる塗装スプレー装置を安価に提供することを目的としている。
【０００９】
【課題を解決するための手段】
本発明の塗装スプレー装置は、塗料を収容した容器本体の上部開口にキャップを被着した塗料カートリッジと、該塗料カートリッジを下部に吊持した流体スプレーとを備え、該流体スプレー内部の流体通路と、この流体スプレーの前部に連続する流体噴き出しノズル内部の流体噴出孔とを同一軸線上に配設し、前記流体通路の中心軸上にニードルを移動可能に配設し、該ニードルの先端と前記流体噴出孔の後端との間隙を変更することにより、前記流体噴き出しノズルから吹き出す流体の流量を調整可能となすとともに、前記流体噴出孔の後端内周と前記ニードルの先端外周とにそれぞれテーパ面を設け、前記流体噴き出しノズル先端と、前記キャップの上面に突出する吸い上げノズルの先端とを交差方向に近接して設け、該流体噴き出しノズルの先端から吹き出す流体の吸引作用によって、前記吸い上げノズルを通して吸い上げた塗料を噴射する塗装スプレー装置において、前記キャップの上面には、前記流体スプレーの前部下側に垂設したブラケットがスライド可能に装着されるスプレー取り付けガイドが設けられ、その一側部には吸い上げノズルとノズル高さ調整具とが上下同軸上に突設され、該ノズル高さ調整具は、連結ノズルの中間部上下に操作ダイヤルとおねじとが連設され、該おねじをキャップの上下へ貫通して設けられた挿通孔の開口に螺着するとともに、該挿通孔からキャップの内側に突出する連結ノズルの下端に吸い上げパイプを接続し、前記吸い上げノズルは、中間部よりもやや下側に設けたつまみ用のダイヤルから上側を、前記連結ノズルよりも小径に、ダイヤルから下側部分を大径部となして、この大径部を前記連結ノズルの上部に外挿したことを特徴としている。
【００１１】
【発明の実施の形態】
以下、本発明を図示の形態例に基づいて説明する。図中、図１は塗装スプレー装置の要部断面正面図、図２は図１の要部拡大図、図３は塗装スプレー装置の正面図、図４は塗装スプレー装置の分解斜視図である。
【００１２】
塗装スプレー装置１は、塗料カートリッジ２と、該塗料カートリッジ２にスライド可能に組み合わせされる流体スプレー３とを備えており、流体スプレー３には、別途のエアコンプレッサやガスボンベ等の流体供給源（図示せず）につながるホース４が接続されている。
【００１３】
塗料カートリッジ２は、塗料を収容した容器本体５の上部開口に、合成樹脂製のキャップ６を被着して構成されており、キャップ６の上面にはスプレー取り付けガイド７が設けられ、その一側部には吸い上げノズル８とノズル高さ調整具９とが上下同軸上に突設されている。
【００１４】
ここで、容器本体５には、例えば１０〜２０ＭＬ程度の塗料を収容した市販品をそのまま流用するが、上面にスプレー取り付けガイド７等の構造を持つキャップ６は、容器本体５に付属のキャップと交換して用いるか、あるいは容器本体５に予めキャップ６を組み合わせして市販する場合には、これをそのまま使用するものとする。
【００１５】
流体スプレー３は、スプレー本体１０の外部を左右分割型のケーシング１１で被覆して作業者に握りやすいペンシル型としており、ケーシング１１の前部下側に垂設したブラケット１１ａをキャップ６のスプレー取り付けガイド７に装着することにより、塗料カートリッジ２と一体に組付けされる。
【００１６】
スプレー取り付けガイド７は、逆Ｔ字形のガイド片６ａ，６ａをキャップ６の上面に所定間隙をおいて対向配置したもので、一端をキャップ６の外周縁に開口し、キャップ内周側の他端を隆条部６ｂの側壁にて閉塞している。隆条部６ｂにはボス部６ｃが突設されており、該ボス部６ｃにキャップ６の上下へ貫通して設けられた挿通孔１２に、ノズル高さ調整具９が連結ノズル９ａを装着して着脱可能に取り付けされる。
【００１７】
吸い上げノズル８は、中間部よりもやや下側に設けたつまみ用のダイヤル８ａから上側を、ノズル高さ調整具９の連結ノズル９ａよりも小径に絞り、またダイヤル８ａから下側部分を大径部８ｂとなして、この大径部８ｂを連結ノズル９ａの上部に外挿することにより、ノズル高さ調整具９にワンタッチで抜き差し可能に装着される。
【００１８】
ノズル高さ調整具９は、連結ノズル９ａの中間部上下に操作ダイヤル９ｂとおねじ９ｃとが連設され、該おねじ９ｃを挿通孔１２の開口に螺着することにより、吸い上げノズル８とノズル高さ調整具９とがキャップ６の上面に突設されるとともに、挿通孔１２からキャップ６の内側に突出する連結ノズル９ａの下端に吸い上げパイプ１３が接続される。
【００１９】
このようにして取付けされた吸い上げノズル８とノズル高さ調整具９は、操作ダイヤル９ｂを回転することによってキャップ６に対する高さ調整が可能で、吸い上げノズル８の上端８ｃを後述する流体スプレー３の流体噴き出しノズル１５の先端１５ａと好適に位置合わせできるようにしている。
【００２０】
前記スプレー本体１０は、中間部を交差するホルダ１０ａに操作ボタン１４を配置し、先端側に先細りの流体噴き出しノズル１５を備えるとともに、流量調整ロッド１６に付設の操作ダイヤル１６ａを後端部に突出させている。ホルダ１０ａの下部には小径のホース接続管１０ｂが垂設されており、該接続管１０ｂに前述のホース４が接続されている。
【００２１】
操作ボタン１４は、ホルダ１０ａ内に挿通されるロッド１４ａと、ホルダ１０ａから上方へ突出するロッド１４ａの上端に連続する大径の操作板１４ｂとからなっており、ロッド１４ａにはスプレー本体１０内の流体通路２０ａよりも上下方向に長い長孔１４ｃが穿設されている。ロッド１４ａの下端とホルダ１０ａの底部との間には、戻しばね１７が縮設されていて、操作ボタン１４ｂを上方へ弾発しており、この状態において、ロッド１４ａ側の弾性弁体１８がホルダ１０ａの弁座１９に着座し、スプレー本体１０内部の流体通路２０ａとホルダ１０ａ内部の流体通路２０ｂの連通を遮断している。
【００２２】
流体噴き出しノズル１５は、後端を流体通路２０ａの前端に螺合してスプレー本体１０の前部に取り付けされている。流体噴き出しノズル１５の内部には、流体通路２０ａよりも小径の流体噴出孔２１が貫通形成されており、流体通路２０ａに導入されたエアや液体等の流体の流速をこの流体噴出孔２１で早めて、流体噴き出しノズル１５の先端１５ａから噴出するようになっている。
【００２３】
流量調整ロッド１６は、前述の操作ダイヤル１６ａと、該操作ダイヤル１６ａの一側面から中心線上を突出するおねじ１６ｂ，中径ロッド１６ｃ及びニードル１６ｄとからなっている。ニードル１６ｄと中径ロッド１６ｃとは流体通路２０ａの中心軸上に挿通され、おねじ１６ｂを流体通路２０ａの後端に螺合することにより、流量調整ロッド１６がスプレー本体１０に取り付けされる。
【００２４】
ニードル１６ｄは、操作ボタン１４の長孔１４ｃを貫通して流体通路２０ａの前部側に配設され、その先端を流体噴出孔２１の後端に臨ませている。ニードル１６ｄの先端外周と流体噴出孔２１の後端内周には、同一傾斜のテーパ面１６ｅ，２１ａが周設されており、両テーパ面１６ｅ，２１ａの間に間隙Ｃが設定される。
【００２５】
この間隙Ｃは、操作ダイヤル１６ａを回転して、ニードル１６ｄを流体噴出孔２１方向へ前進した場合には狭まって、流体通路２０ａから流体噴出孔２１への流体流量を減少し、また操作ダイヤル１６ａを回転して、ニードル１６ｄを流体噴出孔２１と反対方向へ後退した場合には拡がって、流体通路２０ａから流体噴出孔２１への流体流量を増加させるようになっている。
【００２６】
操作ボタン１４の操作板１４ｂと、流体噴き出しノズル１５の前部側と、流量調整ロッド１６の操作ダイヤル１６ａは、スプレー本体１０の外部をケーシング１１で覆った際に、該ケーシング１１の前部または上方または溝１１ｂに露出して配置され、それぞれの作用や操作が個々に行えるようにしている。
【００２７】
ケーシング１１に垂設されるブラケット１１ａは、下端に取り付け板１１ｃを備えており、塗料カートリッジ２と流体スプレー３とは、取り付け板１１ｃ両側部の段部１１ｄ，１１ｄをスプレー取り付けガイド７の開口端側からガイド片６ａ，６ａに差し込み、キャップ６の上面に取り付け板１１ｃをスライドさせて、該取り付け板１１ｃの先端面を隆条部６ｂの側壁に当接させることにより、取り付け板１１ｃの差し込み量を規制して一体に組み付けされる。
【００２８】
この連結により、流体噴き出しノズル１５の先端１５ａと、吸い上げノズル８の先端８ｃとが直交方向に近接配置され、さらに、操作ダイヤル９ｂを回転して、吸い上げノズル８とノズル高さ調整具９とを一体に上昇または下降させることにより、先端１５ａ，８ｃを塗料が噴出するのに好ましい状態に位置合わせする。なお、吸い上げノズル８は、ノズル高さ調整具９の上部に抜き差し可能に設けられるが、先端を吸い上げノズル８の上方に近接して配設される流体噴き出しノズル１５が吸い上げノズル８の抜けを防止する。
【００２９】
本形態例は、以上のように構成されており、図１及び図２に示す非作動状態にあっては、弾性弁体１８が弁座１９に着座していて、スプレー本体１０とホルダ１０ａの流体通路２０ａ，２０ｂの連通を遮断しており、流体供給源から流体通路２０ａ内への流体の流入が停止している。
【００３０】
また、操作ボタン１４の操作板１４ｂを押し下げると、操作ボタン１４の全体が下降して弾性弁体１８が弁座１９から離間し、スプレー本体１０とホルダ１０ａの流体通路２０ａ，２０ｂとが連通して、流体供給源からの流体がスプレー本体１０の流体通路２０ａへ流入する。流体通路２０ａへ流入した流体は、ニードル１６ｄの先端及び流体噴出孔２１の後端に設定したテーパ面１６ｅ，２１ａの間隙Ｃを通って流体噴出孔２１に入り、流体噴き出しノズル１５の先端１５ａから噴出する。
【００３１】
吸い上げノズル８の先端８ｃには、流体噴き出しノズル１５から吹き出す流体の吸引力が作用し、容器本体５に収容した塗料を吸い上げパイプ１３とノズル高さ調整具９の連結ノズル９ａを通して吸い上げ、先端８ｃより噴出させて行く。流体通路２０ａと流体噴出孔２１との間に設定された間隙Ｃは、同一のテーパ面１６ｅ，２１ａによって成形されるため、塗装パターンに好ましい流量の流体を流通させる。
【００３２】
塗装パターンを別のものに変更する場合には、塗料カートリッジ２と流体スプレー３との組み合わせ関係を一旦解き、吸い上げノズル８の上方を解放してから吸い上げノズル８を別の口径のものに差し替えて行う。さらに、この吸い上げノズル８の交換に伴って、流体スプレー３内の間隙Ｃを拡縮して流体の噴出流量を調整する。
【００３３】
本形態例はこのように、流体噴出孔２１に続く流体通路２０ａの中心軸上に流量調整ロッド１６のニードル１６ｄを移動可能に配設し、該ニードル１６ｄの先端外周に設けたテーパ面１６ｅと、流体噴出孔２１の後端内周に設けたテーパ面２１ａとで間隙Ｃを設定した簡単な構造で、流体噴き出しノズル１５から吹き出す流体の流量を調整することができる。
【００３４】
また、流量調整ロッド１６を用いた間隙Ｃの拡縮調整は、内外に位置するテーパ面１６ｅ，２１ａを流体通路２０ａと流体噴出孔２１の中心軸方向へ相対移動させて行うため、流量調整ロッド１６の移動量の割に間隙Ｃの変化は少ない。したがって、間隙Ｃにテーパ面１６ｅ，２１ａを用いたことにより、間隙Ｃの微細な拡縮調整が可能で、塗装パターンに即した流体を好適に流通させることができる。
【００３５】
塗料色を変えて塗装スプレー装置１を用いるにあたり、塗料カートリッジ２が容器本体５とキャップ６とを予め組み合わせした市販品である場合には、キャップ６の洗浄は要しない。また、キャップ６が市販の塗料カートリッジ２とは別の交換部品であっても、流体スプレー３が、キャップ６の上面にスライド可能に取り付けされているので、キャップ６を流体スプレー３と容器本体５から取り外して簡便に洗浄することができる。
【００３６】
さらに吸い上げノズル８は、ノズル高さ調整具９の上部に抜き差し可能に取り付けされているため、単品として取り扱うことができ、口径の異なるものと交換はワンタッチで簡便に行える。さらに、塗料色を変える場合に吸い上げノズル８の洗浄は殆ど必要としないが、洗浄を必要とする場合にも短時間で簡単に済ませることができる。
【００３７】
なお、上述の形態例では、流体スプレーをスプレー本体とケーシングとで構成したが、ケーシングは省略してスプレー本体自体を流体スプレーとすることもできる。この場合に、キャップ接続用のブラケットはスプレー本体に直接設けるか、別体の着脱式としてもよい。また、ニードルと流体噴出孔のテーパ面の長さをより長くすることにより、一層細かな流体流量の調整が可能となる。
【００３８】
【発明の効果】
本発明の塗装スプレー装置によれば、極めて簡単な構造で、塗装パターンに好適な流体流量を簡便に調整することができ、さらに製作工数や部品点数を大幅に削減できるので製作性に優れるばかりか、メンテナンス性と経済性並び信頼性にも優れる。
【００３９】
また、塗料カートリッジのキャップに洗浄が必要な場合には、キャップを流体スプレーから取り外してこれを簡便に行うことができる。さらに吸い上げノズルは、キャップの上部に取り外し可能に設けられているため、塗装パターンの変更等で口径の異なるものとの交換を簡便に行うことができる。さらに、塗料色を変える場合に、吸い上げノズルの洗浄は殆ど要しないが、洗浄をするとしても短時間で簡単に済ませることができる。
【図面の簡単な説明】
【図１】本発明の一形態例を示す塗装スプレー装置の要部断面正面図
【図２】図１の要部拡大図
【図３】本発明の一形態例を示す塗装スプレー装置の正面図
【図４】塗装スプレー装置の分解斜視図
【符号の説明】
１…塗装スプレー装置、２…塗料カートリッジ、３…流体スプレー、４…流体供給源につながるホース、５…容器本体、６…キャップ、６ａ…ガイド片、７…スプレー取り付けガイド、８…吸い上げノズル、９…ノズル高さ調整具、９ａ…連結ノズル、９ｂ…操作ダイヤル、１０…スプレー本体、１０ａ…ホルダ、１０ｂ…ホース接続管、１１…ケーシング、１１ａ…ブラケット、１１ｃ…取り付け板、１２…挿通孔、１３…吸い上げパイプ、１４…操作ボタン、１５…流体噴き出しノズル、１５ａ…先端、１６…流量調整ロッド、１６ａ…操作ダイヤル、１６ｂ…おねじ、１６ｃ…中径ロッド、１６ｄ…ニードル、１６ｅ…テーパ面、１７…戻しばね、２０ａ，２０ｂ…流体通路、２１…流体噴出孔、２１ａ…テーパ面、Ｃ…間隙
【図１】
0003572546.tif 000002
【図２】
0003572546.tif 000003
【図３】
0003572546.tif 000004
【図４】
0003572546.tif 000005